(57)【要約】【課題】車両を運転する際に注意すべき地点について、効果的な運転支援を行う。【解決手段】センタ装置１は、車載端末装置２を搭載した各車両の周囲を走行中に撮影した走行動画を車載端末装置２から受信する受信部１０と、受信部１０により受信された走行動画を蓄積する蓄積部１５と、車両を運転する際に注意すべき地点を注意ポイントとして選択する注意ポイント選択部１７と、蓄積部１５に蓄積された走行動画に基づいて、注意ポイントに対応する運転支援動画を車載端末装置２に配信する配信部１９とを備える。車載端末装置２は、走行動画をセンタ装置１に送信すると共に、センタ装置１から配信される運転支援動画を受信する通信部２５と、通信部２５により受信された運転支援動画を再生表示する表示部２６とを備える。【選択図】図２
2015064675.tif 000002
【特許請求の範囲】
【請求項１】
センタ装置と、前記センタ装置に通信回線を介して接続された複数の車載端末装置とを用いた運転支援方法であって、
前記車載端末装置を搭載した各車両の周囲を走行中に撮影した走行動画を前記車載端末装置から前記センタ装置に送信し、
前記車載端末装置から送信された走行動画を前記センタ装置において蓄積し、
前記センタ装置により、車両を運転する際に注意すべき地点を注意ポイントとして選択し、
前記センタ装置に蓄積された走行動画に基づいて、前記注意ポイントに対応する運転支援動画を前記センタ装置から前記車載端末装置に配信し、
前記センタ装置から配信された運転支援動画を前記車載端末装置で再生表示することにより、前記車両の運転者に対する運転支援を行うことを特徴とする運転支援方法。
【請求項２】
請求項１に記載の運転支援方法において、
前記車載端末装置は、前記車両の走行状態に応じて前記運転支援動画の再生表示形態を変化させることを特徴とする運転支援方法。
【請求項３】
請求項２に記載の運転支援方法において、
前記車載端末装置は、前記注意ポイントにおいて前記車両の走行状態が変化する際に、前記運転支援動画の再生速度を低下させることを特徴とする運転支援方法。
【請求項４】
請求項２に記載の運転支援方法において、
前記車載端末装置は、前記車両の走行速度または前記車両の走行速度に所定速度を加えた先行走行速度に同期した再生速度で前記運転支援動画を再生表示することを特徴とする運転支援方法。
【請求項５】
請求項２に記載の運転支援方法において、
前記車載端末装置は、前記車両が前記注意ポイントから所定距離以上離れた地点を走行している場合、又は、前記車両が走行開始前或いは停止中である場合、一定の走行速度に対応する再生速度で前記運転支援動画を再生表示することを特徴とする運転支援方法。
【請求項６】
請求項１乃至５のいずれか一項に記載の運転支援方法において、
前記センタ装置は、前記車載端末装置を搭載した各車両の過去の走行履歴に基づいて、前記注意ポイントを選択することを特徴とする運転支援方法。
【請求項７】
請求項６に記載の運転支援方法において、
前記センタ装置は、前記車載端末装置を搭載した各車両が予め設定された走行経路から過去に逸脱した地点、および前記車載端末装置を搭載した各車両が過去に交通規則に従わずに走行した地点の少なくとも一方を、前記注意ポイントとして選択することを特徴とする運転支援方法。
【請求項８】
請求項７に記載の運転支援方法において、
前記センタ装置は、前記車載端末装置を搭載した各車両が前記走行経路から過去に逸脱した回数または割合が所定の閾値以上である地点、および前記車載端末装置を搭載した各車両が過去に交通規則に従わずに走行した回数または割合が所定の閾値以上である地点の少なくとも一方を、前記注意ポイントとして選択することを特徴とする運転支援方法。
【請求項９】
請求項６乃至８のいずれか一項に記載の運転支援方法において、
前記センタ装置は、前記蓄積された走行動画のうち、前記注意ポイントを正しく走行した車両において撮影された走行動画に基づいて、前記注意ポイントに対応する運転支援動画を配信することを特徴とする運転支援方法。
【請求項１０】
請求項１乃至９のいずれか一項に記載の運転支援方法において、
前記センタ装置は、撮影時の周囲環境、ドライバ特性および車両特性の少なくとも１つと、配信先の車両における周囲環境、ドライバ特性および車両特性の少なくとも１つとに基づいて、前記蓄積された走行動画の中から前記運転支援動画として配信すべき走行動画を選択することを特徴とする運転支援方法。
【請求項１１】
複数の車載端末装置と通信回線を介して接続されており、
前記車載端末装置を搭載した各車両の周囲を走行中に撮影した走行動画を前記車載端末装置から受信する受信部と、
前記受信部により受信された走行動画を蓄積する蓄積部と、
車両を運転する際に注意すべき地点を注意ポイントとして選択する注意ポイント選択部と、
前記蓄積部に蓄積された走行動画に基づいて、前記注意ポイントに対応する運転支援動画を前記車載端末装置に配信する配信部と、を備えることを特徴とするセンタ装置。
【請求項１２】
請求項１１に記載のセンタ装置において、
前記注意ポイント選択部は、前記車載端末装置を搭載した各車両の過去の走行履歴に基づいて、前記注意ポイントを選択することを特徴とするセンタ装置。
【請求項１３】
請求項１１または１２に記載のセンタ装置において、
前記配信部は、撮影時の周囲環境、ドライバ特性および車両特性の少なくとも１つと、配信先の車両における周囲環境、ドライバ特性および車両特性の少なくとも１つとに基づいて、前記蓄積部に蓄積された走行動画の中から前記運転支援動画として配信すべき走行動画を選択することを特徴とするセンタ装置。
【請求項１４】
センタ装置と、前記センタ装置に通信回線を介して接続された複数の車載端末装置とを有し、
前記センタ装置は、
前記車載端末装置を搭載した各車両の周囲を走行中に撮影した走行動画を前記車載端末装置から受信する受信部と、
前記受信部により受信された走行動画を蓄積する蓄積部と、
車両を運転する際に注意すべき地点を注意ポイントとして選択する注意ポイント選択部と、
前記蓄積部に蓄積された走行動画に基づいて、前記注意ポイントに対応する運転支援動画を前記車載端末装置に配信する配信部と、を備え、
前記車載端末装置は、
前記走行動画を前記センタ装置に送信すると共に、前記センタ装置から配信される運転支援動画を受信する通信部と、
前記通信部により受信された運転支援動画を再生表示する表示部と、を備えることを特徴とする運転支援システム。
【発明の詳細な説明】
【技術分野】
【０００１】
本発明は、車両の運転者に対する運転支援を行うための運転支援方法、センタ装置および運転支援システムに関する。
【背景技術】
【０００２】
従来、車両走行中に経路を逸脱した場合に、その地点を記憶しておき、次回以降に同じ地点を走行する際には、経路の逸脱を防止するための誘導案内を行う技術が知られている（特許文献１）。
【先行技術文献】
【特許文献】
【０００３】
【特許文献１】特開２００６−６４５６３号公報
【発明の概要】
【発明が解決しようとする課題】
【０００４】
特許文献１に記載の技術では、当該車両が過去に経路から逸脱したことのある地点のみが誘導案内の対象とされる。そのため、初めて走行する地点については、その地点が進行方向を間違えやすい場合であっても誘導案内が行われない。
【０００５】
上記に鑑みて、本発明の主な目的は、進行方向を間違えやすい地点など、車両を運転する際に注意すべき地点について、効果的な運転支援を行うことにある。
【課題を解決するための手段】
【０００６】
本発明による運転支援方法は、センタ装置と、前記センタ装置に通信回線を介して接続された複数の車載端末装置とを用いたものであって、前記車載端末装置を搭載した各車両の周囲を走行中に撮影した走行動画を前記車載端末装置から前記センタ装置に送信し、前記車載端末装置から送信された走行動画を前記センタ装置において蓄積し、前記センタ装置により、車両を運転する際に注意すべき地点を注意ポイントとして選択し、前記センタ装置に蓄積された走行動画に基づいて、前記注意ポイントに対応する運転支援動画を前記センタ装置から前記車載端末装置に配信し、前記センタ装置から配信された運転支援動画を前記車載端末装置で再生表示することにより、前記車両の運転者に対する運転支援を行う。
本発明によるセンタ装置は、複数の車載端末装置と通信回線を介して接続されており、前記車載端末装置を搭載した各車両の周囲を走行中に撮影した走行動画を前記車載端末装置から受信する受信部と、前記受信部により受信された走行動画を蓄積する蓄積部と、車両を運転する際に注意すべき地点を注意ポイントとして選択する注意ポイント選択部と、前記蓄積部に蓄積された走行動画に基づいて、前記注意ポイントに対応する運転支援動画を前記車載端末装置に配信する配信部と、を備える。
本発明による運転支援システムは、センタ装置と、前記センタ装置に通信回線を介して接続された複数の車載端末装置とを有し、前記センタ装置は、前記車載端末装置を搭載した各車両の周囲を走行中に撮影した走行動画を前記車載端末装置から受信する受信部と、前記受信部により受信された走行動画を蓄積する蓄積部と、車両を運転する際に注意すべき地点を注意ポイントとして選択する注意ポイント選択部と、前記蓄積部に蓄積された走行動画に基づいて、前記注意ポイントに対応する運転支援動画を前記車載端末装置に配信する配信部と、を備え、前記車載端末装置は、前記走行動画を前記センタ装置に送信すると共に、前記センタ装置から配信される運転支援動画を受信する通信部と、前記通信部により受信された運転支援動画を再生表示する表示部と、を備える。
【発明の効果】
【０００７】
本発明によれば、車両を運転する際に注意すべき地点について、効果的な運転支援を行うことができる。
【図面の簡単な説明】
【０００８】
【図１】本発明の一実施形態に係る運転支援システムの概要を示す図である。
【図２】本発明の一実施形態に係る運転支援システムの構成を示す図である。
【図３】センタ装置においてプローブデータの受信時に実行される処理のフローチャートである。
【図４】走行動画ＤＢに蓄積された走行動画データの一例を示す図である。
【図５】センタ装置において注意ポイントＤＢの更新時に実行される処理のフローチャートである。
【図６】注意ポイントＤＢに蓄積された注意ポイントデータの一例を示す図である。
【図７】センタ装置において運転支援動画の配信時に実行される処理のフローチャートである。
【図８】車載端末装置においてルート設定時に表示される画面の一例を示す図である。
【図９】車載端末装置において車両走行中に表示される画面の一例を示す図である。
【図１０】車載端末装置においてルート設定時に表示される画面の別の一例を示す図である。
【図１１】車載端末装置においてルート設定時に表示される画面のさらに別の一例を示す図である。
【図１２】等時間再生の説明図である。
【図１３】均一速度再生の説明図である。
【図１４】圧縮・伸長時間再生の説明図である。
【図１５】圧縮・伸長速度再生の説明図である。
【図１６】同期再生の説明図である。
【発明を実施するための形態】
【０００９】
図１は、本発明の一実施形態に係る運転支援システムの概要を示す図である。図１に示される運転支援システムは、センタ装置１と、車両にそれぞれ搭載されている複数の車載端末装置２によって構成されている。
【００１０】
センタ装置１と各車両に搭載された車載端末装置２とは、通信回線３を介して互いに接続されている。通信回線３は、携帯電話回線等の無線通信網や、インターネット等の有線通信網などによって構成される。
【００１１】
センタ装置１は、各車両に搭載された車載端末装置２から送信される走行動画を受信し、その走行動画を分類して蓄積する。そして、車載端末装置２からの要求に応じて、蓄積された走行動画に基づく運転支援動画を生成し、通信回線３を介して車載端末装置２に配信する。こうして配信された運転支援動画を車載端末装置２において受信し再生表示することにより、車両の運転者に対する運転支援が行われる。
【００１２】
車載端末装置２には、本運転支援システムに専用の装置として車両内に設置されたものや、ナビゲーション装置等を使用することができる。あるいは、スマートフォン、携帯電話、パーソナルコンピュータ等を車両内に持ち込むことで、これらを車載端末装置２として利用してもよい。
【００１３】
図２は、本発明の一実施形態に係る運転支援システムの構成を示す図である。なお、図２では、運転支援システムを構成する複数の車載端末装置２のうち１つの構成のみを代表例として図示しているが、他の車載端末装置２についても同様の構成を有している。
【００１４】
車載端末装置２は、カメラ２１、車載センサ２２、プローブデータ記憶部２３、ドライバプロファイル記憶部２４、通信部２５、および表示部２６を備える。
【００１５】
カメラ２１は、車載端末装置２を搭載した車両の周囲、たとえば車両前方を走行中に撮影して、当該車両の走行中に運転者が視認する風景の様子を表した走行動画を取得する。カメラ２１により取得された走行動画は、プローブデータ記憶部２３に出力される。なお、車載端末装置２にカメラ２１を設けずに、車両に搭載されている他のカメラを利用してもよい。
【００１６】
車載センサ２２は、車両の走行状態を測定するためのセンサであり、たとえばＧＰＳセンサ、車速センサ、加速度センサ、角速度センサ等を用いて構成される。車載センサ２２により測定された車両の走行状態に関する測定情報、たとえば位置、時刻、走行速度、加速度、進行方向等の測定情報は、プローブデータ記憶部２３に出力される。
【００１７】
プローブデータ記憶部２３は、カメラ２１からの走行動画を所定の撮影時間単位で区切り、その撮影時間に対応する車載センサ２２からの測定情報と関連付けて、センタ装置１に送信するためのプローブデータとして記憶する。すなわち、プローブデータ記憶部２３には、所定時間ごとの走行動画と車両の走行状態に関する測定情報がプローブデータとして記憶されている。
【００１８】
ドライバプロファイル記憶部２４には、予め設定されたドライバプロファイルが記憶されている。ドライバプロファイルは、車載端末装置２が搭載されている車両の特徴やその車両の運転者の特徴を表す情報であり、たとえば車種、車両寸法、年齢、性別、居住地、運転傾向、主な車両の使用目的等の情報を含む。
【００１９】
通信部２５は、プローブデータ記憶部２３に記憶されたプローブデータと、ドライバプロファイル記憶部２４に記憶されたドライバプロファイルとを、所定のタイミングごとに読み出して、通信回線３を介してセンタ装置１に送信する。なお、センタ装置１に送信済みのプローブデータは、プローブデータ記憶部２３から削除してもよい。さらに通信部２５は、車両の運転者が車載端末装置２に対して所定の操作を行うと、センタ装置１に対して経路探索要求を送信すると共に、これに応じてセンタ装置１から通信回線３を介して配信される経路情報、注意ポイント情報および運転支援動画を受信する。経路探索要求には、出発地、目的地、探索条件等の情報と共に、送信時の車両の周囲環境、車両状態、運転者特性等を表す情報が含まれている。これらの情報は、車載センサ２２からの測定情報や、ドライバプロファイル記憶部２４に記憶されたドライバプロファイルに基づいて決定される。
【００２０】
表示部２６は、通信部２５により受信された経路情報、注意ポイント情報および運転支援動画などの各種情報や画像を画面表示するための部分であり、液晶ディスプレイ等によって構成される。たとえば、経路情報に基づく車両の推奨経路の地図が表示部２６において表示される。さらに、推奨経路上に注意ポイントが存在しており、その注意ポイントに対する運転支援動画がセンタ装置１から配信された場合は、表示部２６において、注意ポイントや運転支援動画が推奨経路と共に表示される。なお、注意ポイントとは、車両を運転する際に注意すべき地点のことであり、進行方向を間違えやすい交差点や、一時停止を見落としやすい交差点などが該当する。
【００２１】
センタ装置１は、受信部１０、プローブデータ収集部１１、走行動画分類部１２、外部コンテンツ収集部１３、注意ポイント特定部１４、蓄積部１５、経路探索部１６、注意ポイント選択部１７、動画選択部１８、および配信部１９を備える。蓄積部１５は、走行環境ＤＢ１５１、地図ＤＢ１５２、注意ポイントＤＢ１５３、および走行動画ＤＢ１５４の各データベースを有する。
【００２２】
受信部１０は、車載端末装置２から送信されたプローブデータおよびドライバプロファイルを受信する。すなわち、センタ装置１は、受信部１０により、本運転支援システムを構成する複数の車載端末装置２から、各車両の周囲を走行中に撮影した走行動画をプローブデータとして受信することができる。受信部１０により受信されたプローブデータおよびドライバプロファイルは、プローブデータ収集部１１に出力される。
【００２３】
また、受信部１０は、車載端末装置２から送信された経路探索要求を受信することもできる。受信部１０により受信された経路探索要求は、経路探索部１６に出力される。
【００２４】
プローブデータ収集部１１は、受信部１０により受信されたプローブデータおよびドライバプロファイルを収集して一時的に記憶し、所定のタイミングごとに走行動画分類部１２に出力する。
【００２５】
走行動画分類部１２は、プローブデータ収集部１１から出力されたプローブデータに含まれる走行動画を分類し、蓄積部１５内の走行動画ＤＢ１５４に記録する。走行動画分類部１２は、プローブデータ中の車両の走行状態に関する測定情報や、ドライバプロファイル、蓄積部１５の走行環境ＤＢ１５１と地図ＤＢ１５２にそれぞれ記録されている走行環境データおよび地図データ等に基づいて、後で説明するような手順により、走行動画を分類する。そして、分類結果に応じた属性データを走行動画に付与し、走行動画ＤＢ１５４に記録する。
【００２６】
外部コンテンツ収集部１３は、外部のコンテンツプロバイダから提供される各種のコンテンツ情報を収集し、日時や場所ごとに分類して、車載端末装置２を搭載した各車両の走行環境に関する走行環境データとして、蓄積部１５内の走行環境ＤＢ１５１に記録する。たとえば、各地の気象情報や、各地の渋滞、事故、交通規制等の道路状況を表す交通情報などをコンテンツ情報として収集し、走行環境データとして記録することができる。
【００２７】
注意ポイント特定部１４は、走行動画ＤＢ１５４に走行動画と共に記録されている属性データを用いて、後で説明するような方法により、車載端末装置２を搭載した各車両の過去の走行履歴に基づいて、車両を運転する際に注意すべき地点を注意ポイントとして特定する。そして、特定した注意ポイントに関する情報を、注意ポイントデータとして、蓄積部１５内の注意ポイントＤＢ１５３に記録する。
【００２８】
蓄積部１５は、各種のデータを蓄積して記憶するための部分であり、ハードディスク等の記録媒体を用いて構成される。蓄積部１５内には、前述の走行環境ＤＢ１５１、地図ＤＢ１５２、注意ポイントＤＢ１５３、および走行動画ＤＢ１５４の各データベースが設けられている。走行環境ＤＢ１５１は、外部コンテンツ収集部１３により収集された走行環境データを蓄積したデータベースである。地図ＤＢ１５２は、地図データを蓄積したデータベースである。注意ポイントＤＢ１５３は、注意ポイント特定部１４により特定された注意ポイントに関する注意ポイントデータを蓄積したデータベースである。走行動画ＤＢ１５４は、受信部１０により各車載端末装置２から受信されて走行動画分類部１２により分類された走行動画のデータを蓄積したデータベースである。
【００２９】
経路探索部１６は、車載端末装置２から経路探索要求が送信されて受信部１０により受信されると、蓄積部１５の走行環境ＤＢ１５１と地図ＤＢ１５２にそれぞれ記録されている走行環境データおよび地図データに基づいて、後で説明するような手順により、その車載端末装置２を搭載した車両の推奨経路を探索する。そして、探索された推奨経路に関する経路情報を注意ポイント選択部１７に出力する。
【００３０】
注意ポイント選択部１７は、注意ポイントＤＢ１５３に記録されている注意ポイントデータに基づいて、経路探索部１６により探索された推奨経路に対応する注意ポイントを選択する。すなわち、各車両の過去の走行履歴に基づいて注意ポイント特定部１４で特定された注意ポイントの中から、推奨経路に従って車両を運転する際に注意すべき地点に対応する注意ポイントを選択する。そして、選択した注意ポイントに関する情報を、注意ポイント情報として、経路情報と共に動画選択部１８に出力する。
【００３１】
動画選択部１８は、蓄積部１５内の走行動画ＤＢ１５４に記録されている走行動画のうち、運転支援動画として配信すべき走行動画を選択する。具体的には、動画選択部１８は、走行動画ＤＢ１５４に記録されている各走行動画に対して付与された属性データに基づいて、注意ポイント選択部１７で選択された注意ポイントに対応する走行動画の中から、その注意ポイントを正しく走行した車両において撮影された走行動画を選択する。なお、こうした走行動画が複数蓄積されている場合は、後で説明するような方法により、いずれかの走行動画を選択することが好ましい。動画選択部１８により選択された走行動画は、経路情報および注意ポイント情報と共に、配信部１９に出力される。
【００３２】
配信部１９は、動画選択部１８により選択された走行動画を、推奨経路上の注意ポイントに対応する運転支援動画として、経路情報および注意ポイント情報と共に、通信回線３を介して、経路探索要求を送信した車載端末装置２に配信する。これにより、センタ装置１から車載端末装置２に対して、推奨経路の探索結果と共に、その推奨経路に従って車両を運転する際に注意すべき地点についての運転支援動画が配信される。
【００３３】
次に、センタ装置１の処理について説明する。図３は、センタ装置１においてプローブデータの受信時に実行される処理のフローチャートである。
【００３４】
ステップＳ１１０において、受信部１０は、車載端末装置２から送信されたプローブデータをドライバプロファイルと共に受信する。
【００３５】
ステップＳ１２０において、走行動画分類部１２は、ステップＳ１１０で受信したプローブデータに含まれる走行動画の撮影場所を特定する。具体的には、プローブデータとして走行動画と共に送信された車両の走行状態に関する測定情報や、蓄積部１５の地図ＤＢ１５２に記録されている地図データに基づいて、走行動画の撮影場所を特定する。たとえば、位置、時刻、走行速度、加速度、進行方向等の測定情報に基づいて、走行動画の撮影開始地点から撮影終了地点までのリンクＩＤ、緯度経度、地点名称などを地図データから特定することができる。
【００３６】
ステップＳ１３０において、走行動画分類部１２は、ステップＳ１１０で受信したプローブデータに含まれる走行動画を撮影した際の車両の周囲環境を特定する。具体的には、ステップＳ１２０で特定した撮影場所に対応する周囲環境の情報を、蓄積部１５の走行環境ＤＢ１５１に記録されている走行環境データから抽出することにより、撮影時の周囲環境を特定する。たとえば、撮影時の天候、気温、時間帯、渋滞状況、路面状況などを走行環境データから特定することができる。このとき、地図ＤＢ１５２に記録されている地図データを利用してもよい。
【００３７】
ステップＳ１４０において、走行動画分類部１２は、ステップＳ１１０で受信したプローブデータに対応するドライバ特性を特定する。具体的には、ステップＳ１１０でプローブデータと共に受信したドライバプロファイルに基づいて、プローブデータを送信した車載端末装置２を搭載した車両の運転者の特徴をドライバ特性として特定する。たとえば、運転者の年齢、性別、居住地、運転傾向、主な車両の使用目的などをドライバプロファイルから特定することができる。
【００３８】
ステップＳ１５０において、走行動画分類部１２は、ステップＳ１１０で受信したプローブデータに対応する車両特性を特定する。具体的には、ステップＳ１１０でプローブデータと共に受信したドライバプロファイルに基づいて、プローブデータを送信した車載端末装置２を搭載した車両の特徴を車両特性として特定する。たとえば、車種、車両寸法などをドライバプロファイルから特定することができる。
【００３９】
ステップＳ１６０において、走行動画分類部１２は、ステップＳ１１０で受信したプローブデータに含まれる走行動画を撮影した際の車両における異常走行を判定する。具体的には、プローブデータとして走行動画と共に送信された車両の走行状態に関する測定情報や、蓄積部１５の地図ＤＢ１５２に記録されている地図データなどに基づいて、走行経路からの逸脱や交通規則に従わない走行などの異常走行を車両が行ったか否かを判定する。あるいは、車両の走行中に異常走行の有無を車載端末装置２において判定し、その判定結果をプローブデータと共に車載端末装置２からセンタ装置１に送信してもよい。なお、異常走行ありと判定した場合は、地図ＤＢ１５２に記録されている地図データ等に基づいて、そのときの走行地点を特定することが好ましい。
【００４０】
以上説明したステップＳ１２０〜Ｓ１６０の処理により、ステップＳ１１０で受信したプローブデータに含まれる走行動画の分類がセンタ装置１において行われる。
【００４１】
ステップＳ１７０において、走行動画分類部１２は、ステップＳ１１０で受信したプローブデータに含まれる走行動画を蓄積部１５内の走行動画ＤＢ１５４に記録して、走行動画ＤＢ１５４を更新する。このとき、ステップＳ１２０〜Ｓ１６０による分類結果に応じた属性データを走行動画に付与して、走行動画ＤＢ１５４に記録する。これにより、走行動画が蓄積部１５に蓄積される。
【００４２】
図４は、走行動画ＤＢ１５４に蓄積された走行動画データの一例を示す図である。走行動画ＤＢ１５４には、たとえば図４に示すようなフォーマットで走行動画のデータが蓄積されている。図４に示す走行動画ＤＢ１５４は、走行動画のデータファイルである動画ファイル３０と、リンクＩＤ３１、開始地点３２、終了地点３３、撮影日時３４、走行速度３５、天気３６、気温３７、渋滞状況３８、路面状況３９、ドライバ特性４０、車両特性４１、逸脱地点４２、違反地点４３の各属性データとを含む。
【００４３】
リンクＩＤ３１は、各走行動画を撮影中に車両が走行した道路のリンクＩＤを表している。撮影中に車両が複数のリンクを走行した場合、ここにはその各リンクについてのリンクＩＤが記録される。
【００４４】
開始地点３２、終了地点３３は、各走行動画の撮影開始地点の座標と撮影終了地点の座標をそれぞれ表している。たとえば、動画ファイルＡについて、リンクＩＤがＡ１であるリンク上の座標値（Ｘ（Ａ１），Ｙ（Ａ１））が開始地点３２として記録され、リンクＩＤがＡ２であるリンク上の座標値（Ｘ（Ａ２），Ｙ（Ａ２））が終了地点３３として記録されている。
【００４５】
撮影日時３４は、各走行動画の撮影日と、撮影開始時刻および撮影終了時刻とを表している。
【００４６】
走行速度３５は、各走行動画を撮影した際の車両の走行速度を表している。なお、撮影中に車両の走行速度が所定量または所定割合以上変化した場合、その変化の前後の値を走行速度３５としてそれぞれ記録してもよいし、平均値を走行速度３５として記録してもよい。
【００４７】
天気３６、気温３７は、各走行動画の撮影地点における撮影時の天気と気温をそれぞれ表している。渋滞状況３８、路面状況３９は、各走行動画を撮影した際の道路の渋滞状況と路面状況をそれぞれ表している。
【００４８】
ドライバ特性４０は、各走行動画を撮影した際の車両の運転者の特徴を表している。このドライバ特性４０に記録される内容は、図３のステップＳ１４０で特定されたドライバ特性に応じて決定される。
【００４９】
車両特性４１は、各走行動画を撮影した車両の特徴を表している。この車両特性４１に記録される内容は、図３のステップＳ１５０で特定された車両特性に応じて決定される。
【００５０】
逸脱地点４２は、走行動画の撮影中に車両が走行経路を逸脱した場合に記録される属性データであり、逸脱地点の座標を表している。この逸脱地点４２に記録される内容は、図３のステップＳ１６０の判定結果に応じて決定される。図４の例では、動画ファイルＣの撮影中に走行経路から逸脱した地点についての座標値（Ｘ（Ｐ１），Ｙ（Ｐ１））が逸脱地点４２に記録されている。なお、走行動画の撮影中に経路逸脱が複数回行われた場合は、各逸脱地点の座標を逸脱地点４２に記録することが好ましい。
【００５１】
違反地点４３は、走行動画の撮影中に車両が交通規則に違反する走行を行った場合、たとえば一時停止違反や一方通行違反をした場合に記録される属性データであり、違反地点の座標を表している。この違反地点４３に記録される内容も、逸脱地点４２と同様に、図３のステップＳ１６０の判定結果に応じて決定される。図４の例では、動画ファイルＡの撮影中に交通規則違反の走行をした地点についての座標値（Ｘ（Ｐ２），Ｙ（Ｐ２））が違反地点４３に記録されている。なお、走行動画の撮影中に交通規則違反の走行が複数回行われた場合は、各違反地点の座標を違反地点４３に記録することが好ましい。
【００５２】
図５は、センタ装置１において注意ポイントＤＢ１５３の更新時に実行される処理のフローチャートである。
【００５３】
ステップＳ２１０において、注意ポイント特定部１４は、走行動画ＤＢ１５４から異常走行データを抽出する。ここでは、走行動画ＤＢ１５４に走行動画と共に記録されている属性データのうち、車両が異常走行した際の走行地点に対応する属性データを、異常走行データとして抽出する。具体的には、図４に例示した走行動画データにおいて、逸脱地点４２と違反地点４３にそれぞれ記録されている座標値を異常走行データとして抽出する。すなわち、図４の例では、動画ファイルＣに対応する座標値（Ｘ（Ｐ１）、Ｙ（Ｐ１））と、動画ファイルＡに対応する座標値（Ｘ（Ｐ２），Ｙ（Ｐ２））とを、異常走行データとして抽出する。
【００５４】
ステップＳ２２０において、注意ポイント特定部１４は、ステップＳ２１０で抽出した異常走行データに基づいて、注意ポイントを特定する。具体的には、ステップＳ２１０で異常走行データとして抽出した座標値が表す地点を注意ポイントとして特定する。
【００５５】
ステップＳ２３０において、注意ポイント特定部１４は、ステップＳ２２０で特定した注意ポイントに関する注意ポイントデータを蓄積部１５内の注意ポイントＤＢ１５３に記録して、注意ポイントＤＢ１５３を更新する。ここでは、ステップＳ２２０で特定した注意ポイントに関する注意ポイントデータが既に注意ポイントＤＢ１５３に記録されている場合は、ステップＳ２１０で抽出した異常走行データに基づいて、その注意ポイントデータの値を更新する。一方、ステップＳ２２０で特定した注意ポイントに関する注意ポイントデータが注意ポイントＤＢ１５３に記録されていない場合は、ステップＳ２１０で抽出した異常走行データに基づいて新たな注意ポイントデータを作成し、注意ポイントＤＢ１５３に記録する。これにより、車載端末装置２を搭載した各車両の過去の走行履歴に基づいて、車両を運転する際に注意すべき地点に関する注意ポイントデータが蓄積部１５に蓄積される。
【００５６】
図６は、注意ポイントＤＢ１５３に蓄積された注意ポイントデータの一例を示す図である。注意ポイントＤＢ１５３には、たとえば図６に示すようなフォーマットで注意ポイントデータが蓄積されている。図６に示す注意ポイントＤＢ１５３は、注意ポイントＩＤ５０、進入リンクＩＤ５１、退出リンクＩＤ５２、座標５３、走行回数５４、逸脱回数５５、違反回数５６の各データを含む。
【００５７】
注意ポイントＩＤ５０は、各注意ポイントに設定された固有のＩＤを表している。
【００５８】
進入リンクＩＤ５１は、各注意ポイントに進入する道路のリンクＩＤを表している。退出リンクＩＤ５２は、各注意ポイントから退出する道路のリンクＩＤを表している。座標５３は、各注意ポイントの座標を表している。
【００５９】
走行回数５４は、各注意ポイントを過去に車両が走行した回数を表している。逸脱回数５５は、各注意ポイントを過去に車両が走行した際に、走行経路から逸脱した回数を表している。違反回数５６は、各注意ポイントを過去に車両が走行した際に、交通規則に違反する走行を行った回数を表している。
【００６０】
図７は、センタ装置１において運転支援動画の配信時に実行される処理のフローチャートである。
【００６１】
ステップＳ３１０において、受信部１０は、車載端末装置２から送信された経路探索要求を受信する。
【００６２】
ステップＳ３２０において、経路探索部１６は、蓄積部１５の走行環境ＤＢ１５１と地図ＤＢ１５２にそれぞれ記録されている走行環境データおよび地図データに基づいて、経路探索処理を行う。ここでは、ステップＳ３１０で受信部により受信された経路探索要求に含まれる出発地、目的地、探索条件等の情報に基づいて、経路探索要求を送信した車載端末装置２を搭載した車両の出発地から目的地までの推奨経路を探索する。このとき、注意ポイントＤＢ１５３に記録されている注意ポイントデータに基づいて、経路逸脱や交通規則に違反する走行が過去に頻繁に行われている地点をなるべく避けるような経路を探索してもよい。また、当該車両から受信したドライバプロファイルに基づいて探索条件を設定してもよい。
【００６３】
ステップＳ３３０において、注意ポイント選択部１７は、注意ポイントＤＢ１５３に記録されている注意ポイントデータに基づいて、ステップＳ３３０で探索された推奨経路に対応する注意ポイントを選択する。ここでは、注意ポイントデータが表す各注意ポイントの中から、推奨経路上に存在する注意ポイントを選択する。具体的には、図６に例示した注意ポイントデータにおいて、進入リンクＩＤ５１が表す道路リンクと、退出リンクＩＤ５２が表す道路リンクとがいずれも推奨経路に含まれており、これらの順序が推奨経路の進行方向と一致するものを、推奨経路上に存在する注意ポイントとして選択する。これにより、車載端末装置２を搭載した各車両の過去の走行履歴に基づいて特定された注意ポイントの中から、推奨経路に対応する注意ポイントを選択する。
【００６４】
なお、注意ポイント選択部１７は、ステップＳ３３０において注意ポイントを選択する際に、異常走行の回数や割合が少ない注意ポイントを選択対象から除外してもよい。具体的には、図６に例示した注意ポイントデータにおいて、逸脱回数５５や違反回数５６の値が所定の閾値未満であるものや、これらを走行回数５４で割った値が所定の閾値未満であるものは、推奨経路上に存在する場合であっても、ステップＳ３３０の選択対象から除外する。これにより、各車両が走行経路から過去に逸脱した回数または割合が所定の閾値以上である地点、および各車両が過去に交通規則に従わずに走行した回数または割合が所定の閾値以上である地点の少なくとも一方を、推奨経路に対応する注意ポイントとして選択することができる。さらにこのとき、配信先の車両における周囲環境、ドライバ特性、車両特性などを考慮して、選択する注意ポイントの数を変化させてもよい。
【００６５】
ステップＳ３４０において、動画選択部１８は、ステップＳ３３０で選択された注意ポイントに対応する運転支援動画を選択する。ここでは、走行動画ＤＢ１５４に記録されている各走行動画に対して付与された属性データに基づいて、選択された注意ポイントに対応する走行動画の中で、その注意ポイントを正しく走行した車両において撮影された走行動画を選択する。具体的には、図４に例示した走行動画データにおいて、リンクＩＤ３１の中に注意ポイントの進入リンクＩＤおよび退出リンクＩＤが含まれており、かつ逸脱地点４２と違反地点４３のいずれにも座標値が記録されていない走行動画を、運転支援動画として選択する。
【００６６】
なお、走行動画ＤＢ１５４において、上記のような条件を満たす走行動画が１つの注意ポイントに対して２つ以上記録されている場合、動画選択部１８は、その中のいずれかを運転支援動画としてステップＳ３４０で選択することが好ましい。たとえば、各走行動画の属性データが表す撮影時の周囲環境、ドライバ特性、車両特性などを、配信先の車両、すなわち経路探索要求を送信した車載端末装置２を搭載した車両における周囲環境、ドライバ特性、車両特性などと比較する。その結果、これらの類似度が最も高いものを運転支援動画として選択する。これにより、注意ポイントに対応する複数の走行動画の中から、最適な走行動画を運転支援動画として選択できる。さらに、ドライバ特性等に基づいて各走行動画の信頼度を算出し、これを利用して運転支援動画を選択してもよい。
【００６７】
ステップＳ３５０において、配信部１９は、ステップＳ３２０で探索された推奨経路に関する経路情報と、ステップＳ３３０で選択された注意ポイントに関する注意ポイント情報と、ステップＳ３４０で選択された運転支援動画とを、ステップＳ３１０で受信した経路探索要求の送信元の車載端末装置２に対して配信する。
【００６８】
センタ装置１では、車載端末装置２から送信されるプローブデータや経路探索要求に応じて、以上説明したような各処理が実行される。
【００６９】
次に、車載端末装置２の表示画面について説明する。図８は、車載端末装置２においてルート設定時に表示部２６に表示される画面の一例を示す図である。
【００７０】
図８に示す画面には、推奨経路６０と、推奨経路６０上に存在する注意ポイントを示す注意ポイントアイコン６１、６２および６３とが表示されている。これらは、センタ装置１から配信される経路情報および注意ポイント情報に基づいて表示される。図８では、運転支援動画の表示対象として、注意ポイントアイコン６２に対応する注意ポイントが推奨経路６０上で選択されている様子を示している。また、複数の推奨経路の中からいずれかを選択するための経路選択スイッチ６４も表示されている。ここで、例えば車載端末装置２がスマートフォンである場合、タッチ操作にて注意ポイントアイコン６１、６２および６３のいずれかを選択することができ、その選択された該当箇所の動画を再生することができる。
【００７１】
図８において、画面の右上部分には、センタ装置１から配信された運転支援動画を表示するための表示枠６５が設けられている。図８の例では、上記のように注意ポイントアイコン６２に対応する注意ポイントが推奨経路６０上で選択されている。そのため、各注意ポイントに対してセンタ装置１から配信された運転支援動画のうち、この注意ポイントに対応する運転支援動画が表示枠６５に表示される。
【００７２】
表示枠６５の下には、表示中の運転支援動画の再生位置を示す再生位置バー６６と、再生方法を選択するための操作スイッチ６７と、車両の走行状態に応じた自動再生を行うための自動再生スイッチ６８とが表示されている。また、その下には、表示中の運転支援動画がどの注意ポイントに対応するものであるかを示す表示地点アイコン６９と、運転支援動画の表示対象とする注意ポイントを切り替えるための表示地点切替スイッチ７０、７１とが表示されている。
【００７３】
図９は、車載端末装置２において車両走行中に表示部２６に表示される画面の一例を示す図である。図９に示す画面には、推奨経路６０上に、現在の車両の走行位置および進行方向を示す現在地アイコン８０が表示されている。なお、この時点では既に推奨経路が選択済みであり、その推奨経路に従って車両が走行しているため、図８の経路選択スイッチ６４は表示されていない。
【００７４】
図１０は、車載端末装置２においてルート設定時に表示部２６に表示される画面の別の一例を示す図である。図１０に示す画面には、推奨経路６０上に、図８の注意ポイントアイコン６１、６２および６３に替えて、注意ポイントアイコン８１、８２および８３が表示されている。これらの注意ポイントアイコン８１、８２および８３は、対応する注意ポイントの重要度に応じて大きさが変化する。なお、各注意ポイントの重要度は、たとえばセンタ装置１において、異常走行の回数や割合に基づいて算出することができる。また、図８で説明したが、例えば車載端末装置２がスマートフォンである場合、タッチ操作にて注意ポイントアイコン８１、８２および８３のいずれかを選択することができ、その選択された該当箇所の動画を再生することができる。
【００７５】
図１１は、車載端末装置２においてルート設定時に表示部２６に表示される画面のさらに別の一例を示す図である。図１１に示す画面には、図１０の内容に加えて、表示中の運転支援動画が撮影された際の走行経路、車両、運転者等の特徴に関する情報を示した詳細情報７２がさらに表示されている。
【００７６】
次に、運転支援動画の再生方法について説明する。図８〜１１の各画面において、操作スイッチ６７または自動再生スイッチ６８が選択操作されると、その操作に応じた再生方法により、車載端末装置２の表示部２６において運転支援動画が再生表示される。運転支援動画の再生方法は、操作内容や車両の走行状態に応じて、等時間再生、均一速度再生、圧縮・伸長時間再生、圧縮・伸長速度再生、同期再生などに分類される。以下では、これらの再生方法について、図１２〜１６に示す各説明図を用いて順に説明する。なお、図１２〜１６において、符号９１は撮影時の動画のフレーム間隔と車両の移動距離との関係を示しており、符号９２は再生時の動画のフレーム間隔と車両の移動距離との関係を示している。
【００７７】
図１２は、等時間再生を説明するための図である。図１２に示すように、等時間再生では、一定の時間間隔で撮影された運転支援動画の各フレームを撮影時と同じ間隔で再生表示する。等時間再生は、たとえば、推奨経路が探索されて車両が走行を開始する前や車両の停止中に操作スイッチ６７で再生が選択されたとき、自動再生スイッチ６８が選択されたとき、または自動再生スイッチ６８が選択された状態で車両が注意ポイントから所定距離以上離れた場所を走行しているときに行われる。
【００７８】
図１３は、均一速度再生を説明するための図である。図１３に示すように、均一速度再生では、撮影時に車両の走行速度に応じて変化した各フレーム間での車両の移動距離が再生時には一定となるように、各フレームの間隔を調整して運転支援動画を再生表示する。これにより、一定の走行速度（撮影時の平均走行速度）に対応する再生速度で運転支援動画を再生表示する。均一速度再生は、たとえば、推奨経路が探索されて車両が走行を開始する前や車両の停止中に操作スイッチ６７で再生が選択されたとき、自動再生スイッチ６８が選択されたとき、または自動再生スイッチ６８が選択された状態で車両が注意ポイントから所定距離以上離れた場所を走行しているときに行われる。
【００７９】
図１４は、圧縮・伸長時間再生を説明するための図である。図１４に示すように、圧縮・伸長時間再生では、一定の時間間隔で撮影された運転支援動画の各フレームについて、その間隔を所定の比率で圧縮（または伸長）して再生表示する。なお、図１４では圧縮再生、すなわち早回し再生の場合を示しているが、伸長再生、すなわち遅回し再生することもできる。圧縮・伸長時間再生は、たとえば、車両の停止中に操作スイッチ６７で早回しまたは遅回しが選択されたときに行われる。
【００８０】
図１５は、圧縮・伸長速度再生を説明するための図である。図１３に示すように、圧縮・伸長速度再生では、撮影時に車両の走行速度に応じて変化した各フレーム間での車両の移動距離が一定となるように各フレームの間隔を調整し、さらにその間隔を一定の比率で圧縮（または伸長）して再生表示する。これにより、撮影時の平均走行速度よりも速い（または遅い）一定の走行速度に対応する再生速度で運転支援動画を再生表示する。圧縮・伸長速度再生は、たとえば、推奨経路が探索されて車両が走行を開始する前に、操作スイッチ６７で早回しまたは遅回しが選択されたときに行われる。
【００８１】
図１６は、同期再生を説明するための図である。図１６に示すように、同期再生では、撮影時の車両の走行速度と再生時の車両の走行速度の比率に応じて、各フレームの間隔を圧縮または伸長して再生表示する。これにより、車両の走行速度に同期した再生速度で運転支援動画を再生表示する。同期再生は、たとえば、自動再生スイッチ６８が選択された状態で、車両が運転支援動画の撮影場所を走行しているときに行われる。あるいは、自動再生スイッチ６８が選択された状態で、一定時間後に車両が運転支援動画の撮影場所を走行すると予測されるときに行われる。なお、例えば車両が赤信号で停止中である時に同期再生を行うなど、車両の走行状態を考慮して再生タイミングを調整しても良い。
【００８２】
なお、以上説明した同期再生では、必ずしも車両の走行速度に同期した再生速度で運転支援動画を再生表示する必要はない。たとえば、再生時の車両の走行速度に所定速度を加えた値を先行走行速度として算出し、撮影時の車両の走行速度と算出した先行走行速度の比率に応じて、各フレームの間隔を圧縮または伸長して再生表示する。これにより、車両の走行速度よりも速い所定の先行走行速度に同期した再生速度で、運転支援動画を再生表示することができる。このようにすれば、走行中の車両から見える風景よりも先の風景を運転支援動画として表示できるため、正しい車両の走行状態を分かりやすく提示することができる。
【００８３】
また、以上説明した各再生方法は、それぞれ単独で用いることもできるが、複数を組み合わせて用いてもよい。たとえば、車両が注意ポイントの手前を走行しているときには、等時間再生や同期再生により、運転支援動画を通常の再生速度で再生表示し、車両が注意ポイントを走行するときには、圧縮・伸長時間再生や圧縮・伸長速度再生により、運転支援動画を遅回し再生する。このようにすれば、注意ポイントにおいて車両の走行状態が変化する際に、運転支援動画の再生速度を低下させることができる。その結果、注意ポイントにおける車両誘導をさらに効果的に行うことができる。
【００８４】
以上説明したように、車載端末装置２では、車両の走行状態に応じて異なる再生方法を用いて、運転支援動画を再生表示する。これにより、車両の走行状態に応じて運転支援動画の再生表示形態を変化させることができる。
【００８５】
以上説明した本発明の一実施形態によれば、以下の作用効果を奏する。
【００８６】
（１）運転支援システムは、センタ装置１と、センタ装置１に通信回線３を介して接続された複数の車載端末装置２とを有する。センタ装置１は、車載端末装置２を搭載した各車両の周囲を走行中に撮影した走行動画を車載端末装置２から受信する受信部１０と、受信部１０により受信された走行動画を蓄積する蓄積部１５と、車両を運転する際に注意すべき地点を注意ポイントとして選択する注意ポイント選択部１７と、蓄積部１５に蓄積された走行動画に基づいて、注意ポイントに対応する運転支援動画を車載端末装置２に配信する配信部１９とを備える。車載端末装置２は、走行動画をセンタ装置１に送信すると共に、センタ装置１から配信される運転支援動画を受信する通信部２５と、通信部２５により受信された運転支援動画を再生表示する表示部２６とを備える。この運転支援システムにおいて、センタ装置１から配信された運転支援動画を車載端末装置２で再生表示することにより、車両の運転者に対する運転支援を行う。このようにしたので、車両を運転する際に注意すべき地点について、効果的な運転支援を行うことができる。
【００８７】
（２）車載端末装置２は、等時間再生、均一速度再生、圧縮・伸長時間再生、圧縮・伸長速度再生、同期再生などの再生方法により、車両の走行状態に応じて運転支援動画の再生表示形態を変化させる。このようにしたので、車両の走行状態に応じて適切な方法で運転支援動画を再生表示することができる。
【００８８】
（３）車載端末装置２は、等時間再生や同期再生と、圧縮・伸長時間再生や圧縮・伸長速度再生とを組み合わせることで、注意ポイントにおいて車両の走行状態が変化する際に、運転支援動画の再生速度を低下させることができる。このようにすれば、注意ポイントにおける車両誘導を分かりやすく行い、効果的な運転支援を実現できる。
【００８９】
（４）車載端末装置２は、同期再生において、車両の走行速度または車両の走行速度に所定速度を加えた先行走行速度に同期した再生速度で運転支援動画を再生表示する。このようにしたので、正しい車両の走行状態を分かりやすく提示して効果的な運転支援を行うことができる。
【００９０】
（５）車載端末装置２は、均一速度再生および圧縮・伸長速度再生において、一定の走行速度に対応する再生速度で運転支援動画を再生表示する。このようにしたので、撮影時の車両の走行速度に関わらず、正しい車両の走行状態を分かりやすく提示して効果的な運転支援を行うことができる。
【００９１】
（６）センタ装置１において、注意ポイント特定部１４は、蓄積部１５の走行動画ＤＢ１５４から異常走行データを抽出し（ステップＳ２１０）、抽出した異常走行データに基づいて注意ポイントを特定して（ステップＳ２２０）、注意ポイントＤＢ１５３を更新する（ステップＳ２３０）。また、注意ポイント選択部１７は、蓄積部１５の注意ポイントＤＢ１５３に記録されている注意ポイントデータに基づいて注意ポイントを選択する（ステップＳ３３０）。これにより、車載端末装置２を搭載した各車両の過去の走行履歴に基づいて注意ポイントを選択するようにしたので、車両を運転する際に注意すべき地点について確実に運転支援を行うことができる。
【００９２】
（７）センタ装置１は、注意ポイント特定部１４において、車載端末装置２を搭載した各車両が予め設定された走行経路から過去に逸脱した地点、および車載端末装置２を搭載した各車両が過去に交通規則に従わずに走行した地点を注意ポイントとして特定し、この注意ポイントを注意ポイント選択部１７において選択する。このようにしたので、過去に経路逸脱や交通規則違反の異常走行が行われた地点を注意ポイントとして選択し、運転支援を行うことができる。
【００９３】
（８）センタ装置１は、注意ポイント選択部１７において、車載端末装置２を搭載した各車両が走行経路から過去に逸脱した回数または割合が所定の閾値以上である地点、および車載端末装置２を搭載した各車両が過去に交通規則に従わずに走行した回数または割合が所定の閾値以上である地点の少なくとも一方を、注意ポイントとして選択することができる。このようにすれば、経路逸脱や交通規則違反の異常走行が行われやすい地点を優先的に注意ポイントとして選択し、運転支援を行うことができる。
【００９４】
（９）センタ装置１において、動画選択部１８は、注意ポイント選択部１７により選択された注意ポイントに対して蓄積部１５の走行動画ＤＢ１５４に記録されている走行動画の中で、その注意ポイントを正しく走行した車両において撮影された走行動画を選択する（ステップＳ３４０）。配信部１９は、こうして動画選択部１８により選択された走行動画を車載端末装置２に配信する（ステップＳ３５０）。これにより、蓄積部１５に蓄積された走行動画のうち、注意ポイントを正しく走行した車両において撮影された走行動画に基づいて、注意ポイントに対応する運転支援動画を配信する。このようにしたので、注意ポイントにおいて正しい車両の走行状態で撮影された動画を運転支援動画として配信することができる。
【００９５】
（１０）センタ装置１は、動画選択部１８において、撮影時の周囲環境、ドライバ特性および車両特性の少なくとも１つと、配信先の車両における周囲環境、ドライバ特性および車両特性の少なくとも１つとに基づいて、蓄積部１５の走行動画ＤＢ１５４に蓄積された走行動画の中から運転支援動画として配信すべき走行動画を選択することができる。このようにすれば、配信先の車両にとって最適な走行動画を運転支援動画として配信することができる。
【００９６】
なお、以上説明した実施形態では、車両に搭載された車載端末装置２に対して運転支援動画を配信する例を説明したが、運転支援動画の配信先はこれに限定されない。たとえば、家庭内のインターネットに接続されたパーソナルコンピュータ等に運転支援動画を配信してもよい。このようにすれば、旅行を計画している利用者に対して、事前に運転支援動画を提供することができる。
【００９７】
また、以上説明した実施形態では、車載端末装置２において撮影された走行動画をセンタ装置１に蓄積し、その走行動画の中からいずれかを運転支援動画として選択し配信する例を説明したが、動画の代わりに静止画を利用してもよい。さらに、動画と静止画の両方を利用してもよい。
【００９８】
以上説明した実施形態や変形例はあくまで一例であり、発明の特徴が損なわれない限り、本発明はこれらの内容に限定されるものではない。
【符号の説明】
【００９９】
１  センタ装置
２  車載端末装置
３  通信回線
１０  受信部
１１  プローブデータ収集部
１２  走行動画分類部
１３  外部コンテンツ収集部
１４  注意ポイント特定部
１５  蓄積部
１６  経路探索部
１７  注意ポイント選択部
１８  動画選択部
１９  配信部
２１  カメラ
２２  車載センサ
２３  プローブデータ記憶部
２４  ドライバプロファイル記憶部
２５  通信部
２６  表示部
１５１  走行環境ＤＢ
１５２  地図ＤＢ
１５３  注意ポイントＤＢ
１５４  走行動画ＤＢ
【図１】
2015064675.tif 000003
【図２】
2015064675.tif 000004
【図３】
2015064675.tif 000005
【図４】
2015064675.tif 000006
【図５】
2015064675.tif 000007
【図６】
2015064675.tif 000008
【図７】
2015064675.tif 000009
【図８】
2015064675.tif 000010
【図９】
2015064675.tif 000011
【図１０】
2015064675.tif 000012
【図１１】
2015064675.tif 000013
【図１２】
2015064675.tif 000014
【図１３】
2015064675.tif 000015
【図１４】
2015064675.tif 000016
【図１５】
2015064675.tif 000017
【図１６】
2015064675.tif 000018